(57)【特許請求の範囲】
【請求項１】
建物躯体に沿って鉛直方向に固定されて配されるべき長尺の不動格子子と、
該不動格子子が間隔を存して平行に配されて形成された不動ルーバーと、
該不動ルーバーが配された全体の領域のうち一部の領域として形成された進入出領域と、
該進入出領域にて前記不動ルーバーに代えて配された可動ルーバーと、
該可動ルーバーを形成して平行に配され、水平方向にそれぞれスライドする複数本の可動格子子とを備え、
前記不動ルーバーと可動ルーバーとで前記建物躯体の壁面の全域を覆い、
前記可動格子子間にはそれぞれスペーサが取り付けられ、
該スペーサは、前記可動ルーバーで前記進入出領域を覆ったときに前記不動格子子間の間隔と同一間隔となる長さに形成されていて、
前記スペーサによって前記可動格子子間の間隔を保持することを維持又は解除するためのロック操作部をさらに備え、
該ロック操作部は、前記可動ルーバーで前記進入出領域を覆ったときに前記可動格子子間に配されて前記建物駆体の外側から前記可動ルーバーを開閉するために前記建物躯体の外部から露出していて、
前記スペーサは中央にて切断されているワイヤであり、
前記ワイヤが切断された切断部は、前記ワイヤ同士の連結及び解除をするための前記ロック操作部にて互いに連結されていることを特徴とする可動ルーバーを含むルーバー構造体。
【請求項２】
前記可動格子子と前記不動格子子とは同一方向に長手方向を有し、
前記可動格子子は、前記進入出領域を前記長手方向にて挟んだ位置にある前記不動格子子と同一本数配されていることを特徴とする請求項１に記載の可動ルーバーを含むルーバー構造体。
【請求項３】
前記不動格子子及び前記可動格子子は前記建物躯体に対して鉛直方向に配設され、
前記可動ルーバーの上端近傍には左右方向に延びるガイドレールが配され、
前記可動格子子には前記ガイドレール内を転動するランナーが取り付けられ、
前記可動ルーバーの下端近傍には左右方向に延びるガイド溝が配され、
前記可動格子子には前記ガイド溝内に挿入されて摺動する摺動部材が取り付けられていることを特徴とする請求項２に記載の可動ルーバーを含むルーバー構造体。
【発明の詳細な説明】
【技術分野】
【０００１】
本発明は、ルーバー構造体のうち、一部のルーバーを可動とした可動ルーバーを含むルーバー構造体に関するものである。
【背景技術】
【０００２】
建物、特に建物の窓部分の外側に対して鉛直方向又は水平方向に間隔を存して複数本の棒状物を配したルーバー（面格子）が知られている。このルーバーは防犯のため、あるいは通風のために設置されている。近年では、窓部分のみならず建物全体をルーバー構造体で覆うものも知られている。建物全体を覆うことで、建物外観の意匠性を高めたり、あるいは建物の外側に配されたエアコンの室外機等の目隠しを行って美観を高めたりしている。
【０００３】
一方で、面格子が特許文献１に記載されている。この面格子は、窓開口の室外側に互いに対向配置された一対のガイドレールと、当該一対のガイドレールに走行自在に取り付けられた複数の格子部材と、当該格子部材のうち、隣り合う格子部材同士を回動自在に連結した連結部材と、前記ガイドレールの一端に隣接配置され、当該ガイドレールから外れた格子部材を折り畳んで収納可能な収納部とを備えたものである。
【０００４】
特許文献１に示すように、面格子の全体、すなわちルーバー構造体を構成する各格子が全て移動するようなものは公知である。しかし近年では、上述したように建物の装飾のために窓に対応する部位のみではなく、建物全体をルーバー構造体で覆うようなものが知られている。このような場合、特許文献１のようにルーバー構造体の全体を移動させることは現実的ではない。
【０００５】
建物全体をルーバー構造体で覆った場合であっても、ビル火災時の消防隊進入のための非常窓等の窓部分のルーバーは開放させたい要望がある。この場合、当該窓の部分に対応するルーバー構造体の一部が開放していることが望ましいが、現状では当該ルーバー部分を扉式にしたりしている。
【先行技術文献】
【特許文献】
【０００６】
【特許文献１】特開平８−１８９２６５号公報
【発明の概要】
【発明が解決しようとする課題】
【０００７】
しかしながら、上記扉式では隣地境界との関係で実現可能性は低い。したがって一部のルーバーをスライド可能とすることが好ましいが、その場合、その部分のルーバーをスライドさせて窓を開放しているときは問題はないが、当該部分のルーバーを閉じた場合、他のルーバーとの間隔を均一にし、さらに上下方向（左右方向）のルーバーが同一鉛直線上（同一水平線上）に位置する必要がある。つまり、上下方向（左右方向）の不動のルーバーと、これらに挟まれた可動のルーバーとは可動ルーバーが閉じているときは不動のルーバーと同一鉛直線上にあることが必要である。窓部分のルーバーのみがこのような位置に沿っていない（不動ルーバーと可動ルーバーとが不揃いである）場合、建物全体を覆うルーバー構造体としての外観を損ね、見栄えが悪くなってしまう。
【０００８】
本発明は、上記従来技術を考慮したものであり、建物全体を覆うルーバー構造体のうち、一部のルーバーを開閉可能とでき、少なくとも上下方向（左右方向）に配された不動のルーバーと不揃いとならずに外観を損ねることを防止する可動ルーバーを含むルーバー構造体を提供することを目的とする。
【課題を解決するための手段】
【０００９】
前記目的を達成するため、本発明では、建物躯体に沿って鉛直方向又は水平方向に固定されて配されるべき長尺の不動格子子と、該不動格子子が間隔を存して平行に配されて形成された不動ルーバーと、該不動ルーバーが配された全体の領域のうち一部の領域として形成された進入出領域と、該進入出領域にて前記不動ルーバーに代えて配された可動ルーバーと、該可動ルーバーを形成して平行に配され、当該平行方向にそれぞれスライドする複数本の可動格子子とを備えたことを特徴とする可動ルーバーを含むルーバー構造体を提供する。
【００１０】
好ましくは、前記可動格子子と前記不動格子子とは同一方向に長手方向を有し、前記可動格子子は、前記進入出領域を前記長手方向にて挟んだ位置にある前記不動格子子と同一本数配されていることを特徴としている。
【００１１】
好ましくは、前記不動格子子及び前記可動格子子は前記建物躯体に対して鉛直方向に配設され、前記可動ルーバーの上端近傍には左右方向に延びるガイドレールが配され、前記可動格子子には前記ガイドレール内を転動するランナーが取り付けられ、前記可動ルーバーの下端近傍には左右方向に延びるガイド溝が配され、前記可動格子子には前記ガイド溝内に挿入されて摺動する摺動部材が取り付けられ、前記可動格子子間にはそれぞれスペーサが取り付けられ、該スペーサは、前記可動ルーバーで前記進入出領域を覆ったときに前記不動格子子間の間隔と同一間隔となる長さに形成されていることを特徴としている。
【００１２】
好ましくは、前記スペーサによって前記可動格子子間の間隔を保持することを維持又は解除するためのロック操作部をさらに備え、該ロック操作部は、前記可動ルーバーで前記進入出領域を覆ったときに前記可動格子子間に配されて前記建物躯体の外部及び内部から露出していることを特徴としている。
【発明の効果】
【００１３】
本発明によれば、建物全体を覆うルーバー構造体のうち、一部のルーバーを開閉可能とでき、少なくとも上下方向（左右方向）に配された不動のルーバーと不揃いとならずに外観を損ねることを防止することができる。すなわち、建物躯体を覆う不動ルーバーの一部を進入出領域とし、当該領域に配された可動ルーバーのみが可動する構造とすることができる。このため、火災時に可動ルーバーを開くことで容易に非常窓から建物内外への進入出が可能となる。さらに、建物外壁に設置された室外機等の設備に対しても容易にアクセすることができるようになる。
【００１４】
また、可動格子子と不動格子子との長手方向を揃え、進入出領域を挟んだ不動格子子と可動格子子との本数を同一本数とすることで、ルーバー構造物全体としての見栄えをよくすることができ、意匠性を向上させることができる。
【００１５】
また、可動格子子間にスペーサが設けられているので、可動ルーバーを閉じたときに各可動格子子は上下方向に位置するそれぞれの不動格子子と鉛直線上で一致する位置に配される。したがって、可動ルーバーを閉じたときに少なくとも上下方向に配された不動ルーバーと不揃いとなることはなく、外観を損ね見栄えが悪くなることを防止できる。
【００１６】
また、スペーサによって可動格子子間の間隔を保持することを維持又は解除するためのロック操作部を設け、このロック操作部が可動ルーバーで進入出領域を覆ったとき（閉じたとき）に建物躯体の外部及び内部から露出している。このため、緊急時に建物躯体の外側又は内側から可動ルーバーを容易に開閉することができる。
【図面の簡単な説明】
【００１７】
【図１】本発明に係る可動ルーバーを含むルーバー構造体を示し、可動ルーバーが閉じている状態を示す概略図である。
【図２】可動ルーバーが開いたときの状態を示すルーバー構造体の概略図である。
【図３】図１の進入出領域近傍の拡大概略図である。
【図４】可動ルーバーの上端近傍の概略正面図である。
【図５】可動ルーバーの上端近傍の概略平面図である。
【図６】可動ルーバーの上端近傍の概略側面図である。
【図７】可動ルーバーの下端近傍の概略正面図である。
【図８】可動ルーバーの下端近傍の概略平面図である。
【図９】可動ルーバーの下端近傍の概略側面図である。
【図１０】可動ルーバーを開いたときの進入出領域近傍の拡大概略図である。
【発明を実施するための形態】
【００１８】
図１及び図２に示すように、本発明に係るルーバー構造体１は、ビル等の建物全体を覆うものであり、建物躯体の表面に沿って取り付けられた略棒形状の複数本の格子子で形成されている。なお、図１ではビルの一部を建物躯体２として示し、その一部の全てを覆うルーバー構造体１を示している。実際には、ルーバー構造体１は建物全体を覆っていてもよいし、建物の一部を覆っていてもよい。ルーバー構造体１は、ルーバー構造体１は不動ルーバー３と可動ルーバー４とで形成されている。ルーバー構造体１は建物躯体２の所定位置に対応する部位を進入出領域５として有している。この進入出領域５が形成される位置としては、ビル等の一部の窓ガラスに割り当てられた非常窓６や、建物の外壁に沿って設置されている設備（エアコンの室外機等）に対応した位置がある。これらの位置は建物をルーバー構造物で覆ってしまうと建物の外側からアクセスできなくなってしまうので、外側からのアクセスを容易にするために進入出領域５が設けられている。
【００１９】
この進入出領域５を覆う位置に可動ルーバー４が、それ以外の位置に不動ルーバー３が配設されている。したがって、図１のようにルーバー構造体１で建物躯体２の壁面の全域を覆っていても、可動ルーバー４を移動させることで図２のように非常窓６を外部に露出させることができる。このように、建物躯体を覆う不動ルーバー３の一部を進入出領域５とし、当該領域５に配された可動ルーバー３のみが可動する構造とすることで、火災時に可動ルーバー３を開くことで容易に非常窓６から建物内外への進入出が可能となる。さらに、建物外壁に設置された室外機等の設備（不図示）に対しても容易にアクセスすることができるようになる。本発明はこのようにルーバー構造物１である程度の範囲（例えば全域）を覆って建物全体としての美観を向上させるとともに、必要箇所に応じて建物内外への進入出経路を確保できるようにした点に特徴がある。これは建物躯体２を覆うルーバー構造物１の全体を可動とするものではなく、その一部を可動領域として形成することで実現できるものであり、これにより種々の形状や設備を有する建物に適用することを想定している。
【００２０】
図３に示すように、不動ルーバー３は複数本の不動格子子７で形成されている。具体的には、不動格子子７は長尺の棒材であり、この不動格子子７が間隔を存して平行に配されて不動ルーバー３は形成されている。図の例では、不動格子子７は上下方向を長手方向として延び、左右方向を平行方向として形成されている。ここで図６に示すように、不動格子子７は建物躯体２に対して直接固定されて取り付けられている。具体的には、不動格子子７の建物躯体２側には平行方向（図４及び図５の例では左右方向）に延びるように断面略Ｃ字形状の溝形鋼８が配されている。この溝形鋼８は、建物躯体２にボルト９にて固定されたアングル材１０に載置されてボルト２２（図９参照）により固定されている。そして不動格子子７は溝形鋼８にボルト及びナットからなる留め具１２にて固定されている。したがって、不動格子子７は建物躯体２に対してアングル材１０及び溝形鋼８を介して直接固定されている。
【００２１】
また図３に示すように、可動ルーバー４は複数本の可動格子子１３で形成されている。可動格子子１３は不動格子子７と同様の形状を有し、それぞれの可動格子子１３は進入出領域５にて平行に配されている。図の例では、可動格子子１３は不動格子子７と同様上下方向を長手方向として延び、左右方向（水平方向）を平行方向として形成されている。この可動格子子１３は、平行方向にそれぞれスライド可能である。従って上述したように、可動ルーバー４は開閉可能である。ここで、図３に示したように、可動格子子１３と不動格子子７とは同一方向（上下方向であり鉛直方向）に長手方向を有している。また、可動格子子１３は、進入出領域５を長手方向にて挟んだ位置にある不動格子子７と同一本数配されている。図の例では、進入出領域５を挟んだ不動格子子７と可動格子子１３とは同一の４本配されている。これにより、可動格子子１３と不動格子子７との長手方向が揃い、進入出領域５を挟んだ不動格子子７と可動格子子１３との本数が同一本数となるので、ルーバー構造物１全体としての見栄えをよくすることができ、意匠性を向上させることができる。
【００２２】
図４〜図６に示すように、可動ルーバー４の上端近傍、すなわち可動格子子１３の上端付近には左右方向（水平方向）にガイドレール１４が延びて配されている。このガイドレール１４は、上述した溝形鋼８に対して所定位置にて適宜ねじ１１にて固定されている。具体的には、ガイドレール１４はカバー材１５にてその一部を外側から覆われ、このカバー材１５が溝形鋼８に対してねじ止めされている。ガイドレール１４内にはランナー１６が配されている。このランナー１６は可動格子子１３のそれぞれに対応して設けられている。ランナー１６はガイドレール１４に沿って転動可能である。すなわち、ランナー１６はガイドレール１４に対して可動格子子１３の吊り車として機能する。ランナー１６の下端はアングル材１７を介して可動格子子１３と接続されている。したがって、可動格子子１３はランナー１６を介してガイドレール１４に沿ってスライド可能である。具体的には、アングル材１７は可動格子子１３の建物躯体２側にボルト１８により固定され、ランナー１６の下端はアングル材１７に挿通されてナット１９により固定されている。
【００２３】
図７〜図９に示すように、可動ルーバー４の下端近傍、すなわち可動格子子１３の下端付近には左右方向にガイド溝２０が延びて配されている。このガイド溝２０は、上述した溝形鋼８と一体化された板材２３に対して適宜ねじ２１を用いて固定されている。具体的には、溝形鋼８の上部に板材２３が所定間隔を存して一体化して配されている。この板材２３の上にガイド溝２０が載置されてねじ２１により固定されている。可動格子子１３の下端にはアングル材２４を介して摺動部材２５が取り付けられている。この摺動部材２５は略棒形状であり、ガイド溝２０内に挿入されている。なお、アングル材２４はボルト２６によって可動格子子１３に、摺動部材２５はボルト２７によってアングル材２４にそれぞれ固定されている。これにより、可動格子子１３の上下両端はそれぞれガイドレール１４及びガイド溝２０に沿って摺動可能となる。すなわち、可動ルーバー４の開閉動作が可能となる。
【００２４】
ここで、可動格子子１３間にはそれぞれスペーサ２８が取り付けられている。スペーサ２８は具体的にはワイヤであり、このワイヤはそれぞれ各ランナー１６（摺動部材２５）に固定されながら可動格子子１３間に架け渡されている。このとき、ワイヤが緊張している状態、すなわち伸びきった状態で各可動格子子１３間の間隔は不動格子子７間の間隔と同一間隔となるような長さに形成されている。ワイヤが緊張している状態とは可動ルーバー４が閉じた状態であり、したがって可動ルーバー４が閉じると各可動格子子１３と各不動格子子７とは上下方向にて鉛直方向に揃った位置に配されることになる。このため、可動ルーバー４を開閉操作して閉じた場合に、少なくとも上下方向（左右方向）に配された不動ルーバー３と不揃いとならずに外観を損ねることを防止することができる。このことは、可動ルーバー４を閉じたときに各可動格子子１３は上下方向に位置するそれぞれの不動格子子７と鉛直線上で一致する位置に配されることを意味し、可動ルーバー４を閉じたときに少なくとも上下方向に配された不動ルーバー３と不揃いとなることはなく、外観を損ね見栄えが悪くなることを防止できる。スペーサ２８を可動格子子１３の上下両端側にそれぞれ備えることで、可動ルーバー４を閉じたときに容易にその設定間隔に可動格子子１３を位置させることができる。なお、可動ルーバー４を開いたとき（可動格子子１３をスライドさせて左右方向に移動させたとき）、スペーサ２８たるワイヤはたるむだけなので、可動ルーバー４の開閉動作に何ら支障をきたすことはない。
【００２５】
図の例では、可動ルーバー４は左右両開きタイプであり（図１０参照）、具体的には左右の２本ずつの可動格子子１３がそれぞれ左右両方向に移動する。この場合ワイヤが中央にて切断されている状態なっているが、この切断部にてワイヤはリング上の留め具（ロック操作部）２９にて互いに連結されている。この留め具２９を操作することでワイヤ同士の連結及び解除ができる。すなわち、ロック操作部２９はスペーサ２８による可動格子１３の間隔の保持を維持又は解除するために用いられる。このロック操作部２９は、可動ルーバー４で進入出領域５を覆ったときに可動格子子１３間に配されている。すなわち、建物躯体２の外部及び内部から露出している。このように可動ルーバー４で進入出領域５を覆ったとき（閉じたとき）にロック操作部２９が露出しているので、緊急時に建物躯体２の外側又は内側から可動ルーバー４を容易に開閉することができる。
【００２６】
なお、上述した図面による例では不動格子子７と可動格子子１３とが鉛直方向に延びている例を示しているが、本発明はこれに限定されず、例えば格子子７及び１３は水平方向でもよいし、それぞれが異なる方向に平行に配されていてもよい。
【符号の説明】
【００２７】
１：ルーバー構造体、２：建物躯体、３：不動ルーバー、４：可動ルーバー、５：進入出領域、６：非常窓、７：不動格子子、８：溝形鋼、９：ボルト、１０：アングル材、１１：ねじ、１２：留め具、１３：可動格子子、１４：ガイドレール、１５：カバー材、１６：ランナー、１７：アングル材、１８：ボルト、１９：ナット、２０：ガイド溝、２１：ねじ、２２：ボルト、２３：板材、２４：アングル材、２５：摺動部材、２６：ボルト、２７：ボルト、２８：スペーサ、２９：ロック操作部
【図１】
0006767736.tif 000002
【図２】
0006767736.tif 000003
【図３】
0006767736.tif 000004
【図４】
0006767736.tif 000005
【図５】
0006767736.tif 000006
【図６】
0006767736.tif 000007
【図７】
0006767736.tif 000008
【図８】
0006767736.tif 000009
【図９】
0006767736.tif 000010
【図１０】
0006767736.tif 000011